(57)【要約】【課題】大掛かりな検出手段を必要としない、コストが安い、異常な場合の記録を有する、異常検出装置を提供する。【解決手段】電源手段５と、前記電源手段５が出力する第１電圧Ａが供給される制御部９と、前記第１電圧Ａが正常か異常かを検出する第１検出部１５と、前記電源手段５が出力する第２電圧Ｂを負荷２５へ供給する駆動部２６と、前記第２電圧Ｂが正常か異常かを検出する第２検出部２９と、記憶手段２１とを備え、前記制御部９は前記記憶手段２１に対し、前記第１電圧Ａが異常であること及び／又は前記第２電圧Ｂが異常であることを記憶させる。【選択図】図１
2005091009.tif 000002
【特許請求の範囲】
【請求項１】
電源手段と、前記電源手段が出力する第１電圧が供給される制御部と、前記第１電圧が正常か異常かを検出する第１検出部と、前記電源手段が出力する第２電圧を負荷へ供給する駆動部と、前記第２電圧が正常か異常かを検出する第２検出部と、記憶手段とを備え、前記制御部は前記記憶手段に対し、前記第１電圧が異常であること及び／又は前記第２電圧が異常であることを記憶させる事を特徴とする異常検出装置。
【請求項２】
前記電源手段が出力する前記第２電圧は、異なる電圧値を持つ各第２電圧に変換され、各第２電圧を各負荷へ供給する各駆動部を設け、各第２電圧が正常か異常かを検出する各第２検出部を設け、前記制御部は前記記憶手段に対し、前記第１電圧が異常であること及び／又は各第２電圧の中で少なくとも１個の第２電圧が異常であることを記憶させる事を特徴とする請求項１の異常検出装置。
【請求項３】
各第２電圧の中の1個の第２電圧と、前記第１電圧を同一電圧値に設け、該第２電圧を前記制御部に供給させる構成とした事を特徴とする請求項２の異常検出装置。
【請求項４】
前記第２検出部は、所定時間の始めにおいて、前記第２電圧を異常と検出し、前記所定時間の途中において、前記第２電圧を正常と検出した場合、前記制御部は前記負荷の初期化を行う事を特徴とする請求項１の異常検出装置。
【請求項５】
前記第２検出部は、設定時間中に継続して、前記第２電圧を異常と検出した場合、前記制御部は前記電源手段に対し、前記第２電圧の出力を停止させる事を特徴とする請求項１の異常検出装置。
【請求項６】
前記第１電圧は前記第２電圧よりも、電圧低下しにくい様に構成し、又は、前記第１電圧が基準値よりも低下した場合も、前記制御部を動作可能に構成した事を特徴とする請求項１の異常検出装置。
【発明の詳細な説明】
【技術分野】
【０００１】
本発明は異常検出装置に関する。
【背景技術】
【０００２】
従来、この種の装置は、例えば特許文献１に示されている。この特許文献１の図１によると、電源２１は１個の負荷２２に対し、１個の出力電圧を供給している。1個の出力電圧は監視手段（図１に示された部品１，２，３，４，５，６，７，８，９，１０，１１）により、電圧が正常か異常かを判定されている。
【特許文献１】特開平５−２４０８８９号公報
【発明の開示】
【発明が解決しようとする課題】
【０００３】
上記装置では、複数個の負荷２２が存在する場合、上記監視手段は、負荷２２と同数だけ必要となり、大掛かりな監視手段が必要となり、コストが高くなる第１の欠点が有る。また、上記装置では、負荷２２が正常か否かを検出するだけであり、異常な場合の結果を記録していない、第２の欠点がある。従って、上記装置が異常となり、サービスマンが修理しようとした時、装置の動作状態と各部品の状態を逐一調査する、手間がかかる。
【０００４】
故に、本発明はこの様な従来の欠点を考慮し、大掛かりな検出手段を必要としない、コストが安い、異常な場合の記録を有する、異常検出装置を提供する
【課題を解決するための手段】
【０００５】
上記課題を解決するために、請求項１の本発明では、電源手段と、前記電源手段が出力する第１電圧が供給される制御部と、前記第１電圧が正常か異常かを検出する第１検出部と、前記電源手段が出力する第２電圧を負荷へ供給する駆動部と、前記第２電圧が正常か異常かを検出する第２検出部と、記憶手段とを備え、前記制御部は前記記憶手段に対し、前記第１電圧が異常であること及び／又は前記第２電圧が異常であることを記憶させる。
【０００６】
請求項２の本発明では、前記電源手段が出力する前記第２電圧は、異なる電圧値を持つ各第２電圧に変換され、各第２電圧を各負荷へ供給する各駆動部を設け、各第２電圧が正常か異常かを検出する各第２検出部を設け、前記制御部は前記記憶手段に対し、前記第１電圧が異常であること及び／又は各第２電圧の中で少なくとも１個の第２電圧が異常であることを記憶させる。
【０００７】
請求項３の本発明では、各第２電圧の中の1個の第２電圧と、前記第１電圧を同一電圧値に設け、該第２電圧を前記制御部に供給させる構成とした。
【０００８】
請求項４の本発明では、前記第２検出部は、所定時間の始めにおいて、前記第２電圧を異常と検出し、前記所定時間の途中において、前記第２電圧を正常と検出した場合、前記制御部は前記負荷の初期化を行う。
【０００９】
請求項５の本発明では、前記第２検出部は設定時間中に継続して、前記第２電圧を異常と検出した場合、前記制御部は前記電源手段に対し、前記第２電圧の出力を停止させる。
【００１０】
請求項６の本発明では、前記第１電圧は前記第２電圧よりも、電圧低下しにくい様に構成し、又は、前記第１電圧が基準値よりも低下した場合も、前記制御部を動作可能に構成した。
【発明の効果】
【００１１】
請求項１の本発明では、電源手段と、電源手段が出力する第１電圧が供給される制御部と、第１電圧が正常か異常かを検出する第１検出部と、電源手段が出力する第２電圧を負荷へ供給する駆動部と、第２電圧が正常か異常かを検出する第２検出部と、記憶手段とを備え、制御部は記憶手段に対し、第１電圧が異常であること及び／又は前記第２電圧が異常であることを記憶させる。上記構成により、第１電圧及び／又は第２電圧が異常である事を記憶手段に記憶させるので、サービスマンが故障を修理する時に、故障個所および故障原因が分かり易く、修理作業が容易となる。
【００１２】
請求項２の本発明では、電源手段が出力する第２電圧は、異なる電圧値を持つ各第２電圧に変換され、各第２電圧を各負荷へ供給する各駆動部を設け、各第２電圧が正常か異常かを検出する各第２検出部を設け、制御部は記憶手段に対し、第１電圧が異常であること及び／又は各第２電圧の中で少なくとも１個の第２電圧が異常であることを記憶させる。上記構成により、各第２電圧の中で少なくとも１個の第２電圧が異常である事を記憶させるので、従来の様に、各負荷毎に大掛かりな監視手段が必要ない。故に、装置が簡略化しコストが安くなる。
【００１３】
請求項３の本発明では、各第２電圧の中の1個の第２電圧と、第１電圧を同一電圧値に設け、該第２電圧を制御部に供給させる構成とした。上記構成により、第１電圧を供給する電源手段が部分的に故障しても、第２電圧が制御部に供給されるので、制御部は正常に働き、第１電圧が異常であるという、故障記録を残すことができる。
【００１４】
請求項４の本発明では、第２検出部は、所定時間の始めにおいて、第２電圧を異常と検出し、所定時間の途中において、第２電圧を正常と検出した場合、制御部は負荷の初期化を行う。上記構成により、瞬時停電の後に、負荷の初期化を行うので、瞬時停電後に、負荷は正常に作動する。
【００１５】
請求項５の本発明では、第２検出部は設定時間中に継続して、第２電圧を異常と検出した場合、制御部は電源手段に対し、第２電圧の出力を停止させる。上記構成により、第２電圧が異常の時に、第２電圧の出力を停止させるので、この異常検出装置が異常状態で使用される事を防止できる。
【００１６】
請求項６の本発明では、第１電圧は第２電圧よりも、電圧低下しにくい様に構成し、又は、第１電圧が基準値よりも低下した場合も、制御部を動作可能に構成した。上記構成により、制御部は継続して動作できる。その結果、異常発生時に、制御部は記憶手段に対し異常発生の記録を継続して記憶させる事ができる。
【発明を実施するための最良の形態】
【００１７】
以下に、図１のブロック図に従い、本発明を実施するための最良の形態に係る異常検出装置１を説明する。図１において、第１電源部２および第２電源部３は例えば、トランスや整流回路やスイッチング回路などからなる。第１電源部２および第２電源部３の入力側
は共通化され、電源プラグ（図示せず）を介して、商用電源４に接続されている。
【００１８】
第１電源部２は例えば、第１電圧Ａ（例えば、直流５Ｖ）と、第２電圧Ｂ（例えば、直流１４Ｖ）を出力するものである。第２電源部３は例えば、第２電圧Ｄ（例えば、直流５Ｖ）が入力され、第３電圧Ｅ（例えば、直流１４Ｖ）を出力するものである。この第１電源部２と第２電源部３とにより、電源手段５が構成されている。
【００１９】
リード線６の一端は、第１電源部２の出力側（第1電圧Ａを出力する側）に接続され、他端は、ダイオード７を介して、リード線８の一端に接続されている。リード線８の他端は制御部９の端子に接続されている。
【００２０】
リード線１０の一端は、ダイオード１１を介して、リード線８に接続されている。電解コンデンサ１２の陽極側は、リード線８に接続され、陰極側は接地されている。抵抗１３と１４は直列接続され、抵抗１３の一端はリード線６に接続され、抵抗１４の一端は接地されている。
【００２１】
第１検出部１５は例えば、電圧検出器（ＩＣ）等からなる。第１検出部１５は例えば、入力端子Ｉと、出力端子Ｏと、接地端子を有している。第１検出部１５は例えば、入力する電圧が設定値（例えば、４Ｖ）未満の時、出力端子Ｏと接地端子を閉成させる。第１検出部１５は、入力する電圧が上記設定値以上の時、出力端子Ｏと接地端子を開成させる。
【００２２】
第１検出部１５の入力端子Ｉは、抵抗１３と１４との接続点に接続されている。第１検出部１５の出力端子は、リード線１６を介して、制御部９の端子に接続されている。抵抗１７は、リード線８と、リード線１６との間に設けられている。
【００２３】
制御部９は例えばＣＰＵ等からなり、異常検出装置１に用いられる主要部品を制御するものである。制御部９は、電源手段５が出力する第１電圧Ａが供給される。制御部９にはＲＯＭ１８が接続される。ＲＯＭ１８は、制御部９の制御プログラムを記憶している。制御部９にはＲＡＭ１９が接続される。ＲＡＭ１９は異常検出装置１を動作させるのに必要なデータ等を記憶している。上記部品６，７，８，９，１０，１１，１２，１３，１４，１５，１６，１７，１８，１９等により、制御手段２０が構成されている。
【００２４】
記憶手段２１は例えば、不揮発性メモリ（ＥＥＰＲＯＭ等）からなり、制御部９に接続されている。記憶手段２１は、異常信号（後述）を記憶している。
【００２５】
抵抗１３，１４は分圧回路になっており、第１電圧Ａが基準値（例えば、４．３Ｖ）未満の時、この分圧回路により、第１検出部１５への入力電圧は設定値４Ｖ未満となり、出力端子Ｏと接地端子は閉成する。その結果、リード線８と、抵抗１７と、出力端子Ｏと、接地端子を介して、電流が流れる。リード線１６を介して、出力端子Ｏに接続された制御部９の端子には、Ｌｏ信号（これを、異常信号と呼ぶ）が出力される。
【００２６】
第１電圧Ａが基準値（例えば、４．３Ｖ）以上の時、上記分圧回路１３，１４により、第１検出部１５への入力電圧は、設定値４Ｖ以上となり、出力端子Ｏと接地端子は開成する。その結果、リード線８と抵抗１７を介して接続されたリード線１６は、リード線８と同じ電位となる。即ち、リード線１６を介して、出力端子Ｏに接続された制御部９の端子には、第１電圧Ａと略同じ電位のＨｉ信号（これを、正常信号と呼ぶ）が印加される。
【００２７】
この様に、第１検出部１５は、制御部９へ入力される第１電圧Ａが正常かまたは異常かを検出する。
【００２８】
第１電源部２の出力側は、リード線２２と、電流ヒューズ２３と、リード線２４とを介して、負荷２５に接続されている。電流ヒューズ２３は、場合によっては無くても良い。
駆動部２６は、少なくともリード線２２と、リード線２４とからなる。この様に、駆動部２６は、電源手段５が出力する第２電圧Ｂを、負荷２５に対して、供給するものである。また、負荷２５は例えば、ビデオ信号と、オーディオ信号の切換え（スイッチング）を行う回路である。
【００２９】
抵抗２７と２８は直列接続され、抵抗２７の一端はリード線２４に接続され、抵抗２８の一端は接地されている。
【００３０】
第２検出部２９は例えば、電圧検出器（ＩＣ）等からなる。第２検出部２９は例えば、入力端子Ｉと、出力端子Ｏと、接地端子を有している。第２検出部２９は例えば、入力する電圧が設定値（例えば、４Ｖ）未満の時、出力端子Ｏと接地端子を閉成させる。第２検出部２９は、入力する電圧が上記設定値以上の時、出力端子Ｏと接地端子を開成させる。
【００３１】
第２検出部２９の入力端子Ｉは、抵抗２７と２８との接続点に接続されている。第２検出部２９の出力端子は、リード線３４と３０を介して、制御部９の端子に接続されている。抵抗３１は、リード線３０と、リード線３２の一端との間に設けられている。
【００３２】
リード線３２の他端は、ＤＣ／ＤＣコンバータ３３の出力側（第２電圧５Ｖを出力する側）に接続されている。リード線１０の一端も、ＤＣ／ＤＣコンバータ３３の出力側（第２電圧５Ｖを出力する側）に接続されている。
【００３３】
抵抗２７，２８は分圧回路になっており、第２電圧Ｂが基準値（例えば、１０Ｖ）未満の時、この分圧回路により、第２検出部２９への入力電圧は設定値４Ｖ未満となり、出力端子Ｏと接地端子は閉成する。その結果、ＤＣ／ＤＣコンバータ３３から、リード線３２と、抵抗３１と、リード線３４と、出力端子Ｏと、接地端子を介して、電流が流れる。リード線３４と３０を介して、出力端子Ｏに接続された制御部９の端子には、Ｌｏ信号（これを、異常信号と呼ぶ）が出力される。
【００３４】
第２電圧Ｂが基準値（例えば、１０Ｖ）以上の時、上記分圧回路２７，２８により、第２検出部２９への入力電圧は、設定値４Ｖ以上となり、出力端子Ｏと接地端子は開成する。その結果、リード線３２と抵抗３１を介して接続されたリード線３０は、リード線３２と同じ電位となる。即ち、リード線３０を介して、出力端子Ｏに接続された制御部９の端子には、第２電圧Ｄ（５Ｖ）と略同じ電位のＨｉ信号（これを、正常信号と呼ぶ）が印加される。
【００３５】
この様に、第２検出部２９は、制御部９へ入力される第２電圧Ｂが正常かまたは異常かを検出する。
【００３６】
リード線３５は、抵抗２７と２８との接続点と、第２検出部２９の入力端子Ｉとの間に設けられている。ダイオード３６はリード線２４と、リード線３５との間に設けられている。コンデンサの一側はリード線３５に接続され、他側は接地されている。
【００３７】
ＤＣ／ＤＣコンバータ３３の入力側は、リード線２２と、電流ヒューズ２３と、リード線３８とを介して、第１電源部２の出力側に接続されている。この様にして、ＤＣ／ＤＣコンバータ３３には、第２電圧Ｂ（直流１４Ｖ）が供給される。ＤＣ／ＤＣコンバータ３３は、異なる電圧値を持つ各第２電圧Ｃ（直流３．３Ｖ）と、第２電圧Ｄ（直流５Ｖ）を出力する。
【００３８】
第１電源部２の出力側は、リード線２２と、電流ヒューズ２３と、リード線３８と、ＤＣ／ＤＣコンバータ３３と、リード線３９と、リード線４０とを介して、負荷４１に接続されている。電流ヒューズ２３は、場合によっては無くても良い。
【００３９】
駆動部４２は、少なくともリード線２２と、リード線３８と、ＤＣ／ＤＣコンバータ３３と、リード線３９と、リード線４０とからなる。駆動部４２は、第２電圧Ｃを、負荷４１へ供給するものである。また、負荷４１は例えば、画像処理を行うＩＣである。
【００４０】
第２検出部４３は例えば、電圧検出器（ＩＣ）等からなる。第２検出部４３は例えば、入力端子Ｉと、出力端子Ｏと、接地端子を有している。第２検出部４３は例えば、入力する電圧が設定値（例えば、２．７Ｖ）未満の時、出力端子Ｏと接地端子を閉成させる。第２検出部４３は、入力する電圧が上記設定値以上の時、出力端子Ｏと接地端子を開成させる。
【００４１】
第２検出部４３の入力端子Ｉは、リード線３９に接続されている。第２検出部４３の出力端子Ｏは、リード線４４と３０を介して、制御部９の端子に接続されている。抵抗３１は、リード線３０と、リード線３２の一端との間に設けられている。
【００４２】
リード線３２の他端は、ＤＣ／ＤＣコンバータ３３の出力側（第２電圧５Ｖを出力する側）に接続されている。リード線１０の一端も、ＤＣ／ＤＣコンバータ３３の出力側（第２電圧５Ｖを出力する側）に接続されている。
【００４３】
第２電圧Ｃが基準値（例えば、約２．７Ｖ）未満の時、第２検出部３２への入力電圧は設定値２．７Ｖ未満となり、出力端子Ｏと接地端子は閉成する。その結果、ＤＣ／ＤＣコンバータ３３から、リード線３２と、抵抗３１と、リード線３０と、リード線４４と、出力端子Ｏと、接地端子を介して、電流が流れる。リード線４４と３０を介して、出力端子Ｏに接続された制御部９の端子には、Ｌｏ信号（これを、異常信号と呼ぶ）が出力される。
【００４４】
第２電圧Ｃが基準値（例えば、約２．７Ｖ）以上の時、第２検出部４３への入力電圧は、設定値２．７Ｖ以上となり、出力端子Ｏと接地端子は開成する。その結果、リード線３２と抵抗３１を介して接続されたリード線３０は、リード線３２と同じ電位となる。即ち、リード線４４と３０を介して、出力端子Ｏに接続された制御部９の端子には、第２電圧Ｄ（５Ｖ）と略同じ電位のＨｉ信号（これを、正常信号と呼ぶ）が印加される。
【００４５】
この様に、第２検出部４３は、負荷４１へ入力される第２電圧Ｃが正常かまたは異常かを検出する。コンデンサ４５の一側はリード線３９に接続され、他側は接地されている。
【００４６】
第１電源部２の出力側は、リード線２２と、電流ヒューズ２３と、リード線３８と、ＤＣ／ＤＣコンバータ３３と、リード線４６と、リード線４７とを介して、負荷４８に接続されている。電流ヒューズ２３は、場合によっては無くても良い。
【００４７】
駆動部４９は少なくともリード線２２と、リード線３８と、ＤＣ／ＤＣコンバータ３３と、リード線４６と、リード線４７とからなる。駆動部４９は、第２電圧Ｄ（直流５Ｖ）を、負荷４８へ供給するものである。また、負荷４８は例えば、ビデオ信号の切換回路である。
【００４８】
第２検出部５０は例えば、電圧検出器（ＩＣ）等からなる。第２検出部５０は例えば、入力端子Ｉと、出力端子Ｏと、接地端子を有している。第２検出部５０は例えば、入力する電圧が設定値（例えば、４Ｖ）未満の時、出力端子Ｏと接地端子を閉成させる。第２検出部５０は、入力する電圧が上記設定値以上の時、出力端子Ｏと接地端子を開成させる。
【００４９】
第２検出部５０の入力端子Ｉは、リード線４６に接続されている。第２検出部５０の出力端子Ｏは、リード線５１と３０を介して、制御部９の端子に接続されている。抵抗３１は、リード線３０と、リード線３２の一端との間に設けられている。
【００５０】
リード線３２の他端は、ＤＣ／ＤＣコンバータ３３の出力側（第２電圧５Ｖを出力する側）に接続されている。リード線１０の一端も、ＤＣ／ＤＣコンバータ３３の出力側（第２電圧５Ｖを出力する側）に接続されている。
【００５１】
第２電圧Ｄが基準値（例えば、約４Ｖ）未満の時、第２検出部５０への入力電圧は設定値４Ｖ未満となり、出力端子Ｏと接地端子は閉成する。その結果、ＤＣ／ＤＣコンバータ３３から、リード線３２と、抵抗３１と、リード線３０と、リード線５１と、出力端子Ｏと、接地端子を介して、電流が流れる。リード線５１と３０を介して、出力端子Ｏに接続された制御部９の端子には、Ｌｏ信号（これを、異常信号と呼ぶ）が出力される。
【００５２】
第２電圧Ｄが基準値（例えば、約４Ｖ）以上の時、第２検出部５０への入力電圧は、設定値４Ｖ以上となり、出力端子Ｏと接地端子は開成する。その結果、リード線３２と抵抗３１を介して接続されたリード線３０は、リード線３２と同じ電位となる。即ち、リード線５１と３０を介し、出力端子Ｏに接続された制御部９の端子には、第２電圧Ｄ（５Ｖ）と略同じ電位のＨｉ信号（これを、正常信号と呼ぶ）が印加される。
【００５３】
この様に、第２検出部５０は、負荷４８へ入力される第２電圧Ｄが正常かまたは異常かを検出する。コンデンサ５２の一側はリード線４６に接続され、他側は接地されている。
【００５４】
以下に、上記構成の特徴をまとめる。電源手段５が出力する第２電圧Ｂは、異なる電圧値を持つ各第２電圧Ｃ，Ｄに変換される。各第２電圧Ｃ，Ｄを各負荷４１，４８へ各々供給する各駆動部４２，４９が設けられている。各第２検出部４３，５０は各々、各第２電圧Ｃ，Ｄが正常か異常かを検出するものである。
【００５５】
また、各第２電圧Ｃ，Ｄの中の１個の第２電圧Ｄと、第１電圧Ａを同一電圧値（例えば直流５Ｖ）に設けられ、異常時には、該第２電圧Ｄは制御部９に供給される。この様に、第１電圧Ａの供給が停止しても、他方の電圧Ｄが供給される。その結果、故障が有っても、制御部９は動作できる。
【００５６】
また、ダイオード７，１１と、コンデンサ１２を設ける事により、第１電圧Ａは第２電圧Ｂよりも電圧低下しにくい構成とされている。
【００５７】
液晶パネル５３の一つの入力側は、第１電源部２の出力側に接続され、第２電圧Ｂ（直流１４Ｖ）が供給される。液晶パネル５３の他の入力側は、第２電源部３の出力側に接続され第３電圧Ｅ（直流１４Ｖ）が供給される。
【００５８】
ＤＣ／ＤＣコンバータ５４の入力側は、電流ヒューズ５５を介して、第２電源部３の出力側に接続され、第３電圧Ｅが供給される。ＤＣ／ＤＣコンバータ５４は、負荷５６，５７に対し、直流５Ｖを供給する。負荷５６は、スピーカ用のアンプ回路である。負荷５７は、スピーカ用の電源回路である。
【００５９】
これらの部品２２，２３，２４，２７，２８，２９，３０，３１，３２，３３，３４，３５，３６，３７，３８，３９，４０，４３，４４，４５，４６，４７，５０，５１，５２等により、駆動手段５８が構成されている。以上の部品により、この異常検出装置は構成されている。
【００６０】
次に、図１に従い、この異常検出装置１の動作を説明する。異常検出装置１において、各部品が正常状態であり、かつ、電源手段５に所定の電源が入力されている時は、リード線１６に接続された制御部９の端子には、Ｈｉ信号（正常信号）が入力される。また、リード線３０に接続された制御部９の端子には、Ｈｉ信号（正常信号）が入力される。その結果、制御部９は「正常状態」であると、判定する。そして、制御部９は例えば、１０ＭＨｚのクロック周波数で動作する。
【００６１】
次に、瞬時停電の場合を述べる。瞬時停電になると、第２検出部２９，４３，５０は、リード線３０に接続された制御部９の端子に対し、Ｌｏ信号（異常信号）を出力する。制御部９は、上記Ｌｏ信号の入力と共に、時間測定を開始する。
【００６２】
上記時間測定の開始後、例えば２００ｍｓ後に、瞬時停電が回復されたならば、上記Ｌｏ信号はＨｉ信号（正常信号）に戻る。
【００６３】
即ち、第２検出部２９，４３，５０は所定時間（例えば３００ｍｓ）の始めにおいて、第２電圧Ｂ，Ｃ，Ｄを異常と検出し、所定時間（例えば３００ｍｓ）の途中（例えば、始めから２００ｍｓ後）に、第２電圧Ｂ，Ｃ，Ｄを正常と検出した場合、制御部９は瞬時停電であると、判定する。
【００６４】
この時、制御部９は記憶手段２１に対し、各第２電圧Ｂ，Ｃ，Ｄが２００ｍｓの間、異常である事を記憶させる。そして制御部９は、上記正常と検出した時点において、負荷（画像処理を行うＩＣ）４１の初期化を行う。その結果、負荷４１は正常に動作する。
【００６５】
次に例えば、負荷（ビデオ信号と、オーディオ信号の切換えを行う回路）２５が故障（例えば、部品が短絡した場合）した時、負荷２５には、大きな電流が流れる。その結果、第２検出部２９に入力される電圧は低下し、第２検出部２９は制御部９に対し、Ｌｏ信号（異常信号）を出力する。
【００６６】
仮に、負荷２５による上記短絡状態が設定時間（例えば２秒間）以上続くならば、第２検出部２９は設定時間中に継続して、第２電圧Ｂを異常として検出する。この時、制御部９は記憶手段２１に対して、第２電圧Ｂが設定時間（２秒間）異常であることを記憶させる。また、この時、制御部９は電源手段５を構成する第１電源部２に対し、第２電圧Ｂの出力を停止させる。
【００６７】
次に例えば、第１電源部２内の回路（第１電圧Ａを生成する回路）が故障した場合を述べる。この時、第１電圧Ａはゼロとなり、基準値（４．３Ｖ）よりも低下する。そして、第１検出部１５はリード線１６を介して、制御部９に対して、Ｌｏ信号（異常信号）を出力する。この時、制御部９は記憶手段２１に対して、第１電圧Ａが異常である事を記憶させる。なお、この時、第２電圧Ｂは正常である。
【００６８】
第１電源部２はＤＣ／ＤＣコンバータ３３に対して、第２電圧Ｂ（直流１４Ｖ）を出力する。ＤＣ／ＤＣコンバータ３３はリード線１０を介してダイオード１１に対し、第２電圧Ｄ（直流５Ｖ）を出力する。ダイオード１１の電圧降下は例えば１．２Ｖと、比較的大きく設定されている。なお、ダイオード７の電圧降下は例えば０．１Ｖと、比較的小さく設定されている。
【００６９】
その結果、リード線８を介して制御部９の端子に、電圧３．８Ｖが供給される。この様に、制御部９の端子に、第１電圧Ａによる供給電圧４．９Ｖに代わって、電圧３．８Ｖが供給される。その結果、制御部９は例えば、５ＭＨｚのクロック周波数に切り替えられて動作する。
【００７０】
以下に、上記動作の特徴をまとめる。第1電圧Ａが設定値よりも低下した場合、ＤＣ／ＤＣコンバータ３３が制御部９に対し、電圧を供給する。その結果、制御部９は正常時よりも低い周波数にて、動作可能に構成されている。
【００７１】
上述した様に、この異常検出装置１の各部品が故障した場合や、瞬時停電等により、制御部９は記憶手段２１に対し、第１電圧Ａが異常であること及び／又は第２電圧Ｂが異常であることを記憶させる。
【００７２】
また、第２電圧Ｂが複数の第２電圧Ｃ，Ｄに変換された場合、制御部９は記憶手段２１に対して、第１電圧Ａが異常であること及び／又は各第２電圧Ｂ，Ｃ，Ｄの中で、少なくとも１個の第２電圧が異常であることを記憶させる。
【図面の簡単な説明】
【００７３】
【図１】本発明を実施するための最良の形態に係る異常検出装置１のブロック図である。
【符号の説明】
【００７４】
５  電源手段
９  制御部
１５  第１検出部
２１  記憶手段
２５  負荷
２６  駆動部
２９  第２検出部
【図１】
2005091009.tif 000003